(57)【特許請求の範囲】
【請求項１】
上部に給湯路が接続されかつ下部に給水路が接続されている貯湯タンクと、
その貯湯タンクの底部から取り出した湯水を加熱手段にて加熱したのち、その湯水を前記貯湯タンクの上部に供給する形態で湯水を循環させる湯水循環手段と、
前記加熱手段の作動を制御する運転制御手段とが設けられ、
前記運転制御手段が、加熱条件が満たされると、前記湯水循環手段にて循環される湯水を前記加熱手段にて貯湯設定温度の湯に加熱して、温度成層を形成する状態で前記貯湯タンク内に貯湯し、その前記貯湯タンク内に貯湯される湯を前記給湯路を通して給湯するように構成されている貯湯式の給湯装置であって、
前記運転制御手段が、前記貯湯タンク内の湯を給湯しているときには、前記貯湯タンク内の貯湯量が最低確保量よりも多量の最低検出貯湯量になる最低検出タイミングから前記貯湯タンクの湯が給湯される貯湯タンク給湯量に基づいて、前記最低検出貯湯量以下における前記貯湯タンク内の現貯湯量を管理し、その現貯湯量が最低確保量未満になると、前記加熱条件が満たされたと判別する判別処理を実行するように構成されている貯湯式の給湯装置。
【請求項２】
前記貯湯タンク内の貯湯量が前記最低検出貯湯量になる前記最低検出タイミングを検出するための最低検出貯湯量検出手段が設けられ、
前記運転制御手段が、前記貯湯タンク内の現貯湯量を管理するときに、前記最低検出貯湯量検出手段による検出情報により前記最低検出タイミングを検出する際の検出遅れ時間に基づいて、前記現貯湯量を少量側に補正した状態で管理するように構成されている請求項１に記載の貯湯式の給湯装置。
【請求項３】
前記運転制御手段が、前記判別処理において、前記加熱手段を作動させてから前記貯湯設定温度の湯が得られるまでの立ち上がり時間に基づいて、前記最低確保量よりも多量の判別用貯湯量を設定し、前記現貯湯量が前記判別用貯湯量未満になると、前記加熱条件が満たされたと判別するように構成されている請求項１または２に記載の貯湯式の給湯装置。
【請求項４】
前記貯湯タンクの湯の給湯量を検出する給湯量検出手段が設けられ、
前記運転制御手段が、前記貯湯タンク内の現貯湯量を管理するときに、給湯を開始してから前記最低検出タイミングまでの前記給湯量検出手段による検出給湯量の積算給湯量に基づいて、前記貯湯タンク給湯量を求めるように構成されている請求項１〜３のいずれか１項に記載の貯湯式の給湯装置。
【請求項５】
前記貯湯タンクの湯が給湯される給湯量を検出する給湯量検出手段が設けられ、
前記運転制御手段が、前記貯湯タンク内の現貯湯量を管理するときに、前記給湯量検出手段による検出給湯量の瞬間給湯量に基づいて、前記貯湯タンク給湯量を求めるように構成されている請求項１〜３のいずれか１項に記載の貯湯式の給湯装置。
【発明の詳細な説明】
【０００１】
【発明の属する技術分野】
本発明は、上部に給湯路が接続されかつ下部に給水路が接続されている貯湯タンクと、その貯湯タンクの底部から取り出した湯水を加熱手段にて加熱したのち、その湯水を前記貯湯タンクの上部に供給する形態で湯水を循環させる湯水循環手段と、前記加熱手段の作動を制御する運転制御手段とが設けられ、
前記運転制御手段が、加熱条件が満たされると、前記湯水循環手段にて循環される湯水を前記加熱手段にて貯湯設定温度の湯に加熱して、温度成層を形成する状態で前記貯湯タンク内に貯湯し、その前記貯湯タンク内に貯湯される湯を前記給湯路を通して給湯するように構成されている貯湯式の給湯装置に関する。
【０００２】
【従来の技術】
上記のような貯湯式の給湯装置は、貯湯タンク内に貯湯されている湯を給湯路を通して給湯し、加熱条件が満たされると、湯水循環手段にて循環される湯水を加熱手段にて貯湯設定温度の湯に加熱して、温度成層を形成する状態で貯湯タンク内に貯湯して、その貯湯タンク内に貯湯される湯を給湯するものである（例えば、特開２０００−１２１１６０号公報）。
【０００３】
この種の貯湯式の給湯装置においては、貯湯タンク内に貯湯されている湯が給湯に使用されることとなるが、貯湯タンク内に貯湯されている湯のすべてが使用されてから貯湯タンク内に貯湯すると、給湯の途中で所望の温度よりも低い温度の湯水が給湯されるなどして、湯切れが生じる虞があることから、加熱条件としては、貯湯タンク内の貯湯量が最低確保量よりも少量になる前に貯湯タンク内への貯湯を開始させるための条件が設定され、貯湯タンク内の貯湯量が最低確保量よりも少量になる前に貯湯タンク内への貯湯を開始するようにしている。
【０００４】
そして、従来、貯湯タンクに、その湯温を検出することにより最低確保量よりも多量の最低検出貯湯量を検出するサーミスタを設けて、そのサーミスタにより貯湯タンク内の貯湯量が最低検出貯湯量になるのを検出すると、加熱条件が満たされたと判別することによって、貯湯タンク内の貯湯量が最低確保量よりも少量になる前に貯湯タンク内への貯湯を開始させるようにしている。
【０００５】
【発明が解決しようとする課題】
しかしながら、上記従来の貯湯式の給湯装置は、サーミスタにより貯湯タンク内の貯湯量が最低確保量よりも多量の最低検出貯湯量になるのを検出すると、加熱条件が満たされたと判別して、加熱手段を作動させるようにしているので、貯湯タンク内の貯湯量が最低確保量になっていない状態で、貯湯タンク内への貯湯を開始させることとなる。
したがって、給湯に使用できる湯が貯湯タンク内に多く存在するにもかかわらず、貯湯タンク内への貯湯を行ってしまうことになり、加熱手段を作動させるエネルギー量の増大を招いたり、貯湯タンク内に貯湯されている湯を無駄に放熱させることになって、装置の効率が低下する虞がある。
【０００６】
ちなみに、サーミスタにより貯湯タンクの貯湯量が最低確保量になるのを検出することができれば、貯湯タンク内の貯湯量が最低確保量になると、貯湯タンク内への貯湯を開始させることが可能となって、上述の不利を解消することが可能となる。
しかしながら、サーミスタにて最低確保量を検出するためには、サーミスタを貯湯タンクの頂上部付近に設置する必要があるのに対して、貯湯タンクの形状などからサーミスタを貯湯タンクの頂上部付近に設置しても、最低確保量を的確に検出できなかったり、貯湯タンクの製作上の問題などから、貯湯タンクの頂上部付近に設置できないなどの理由から、実際には、サーミスタにて最低確保量を検出することは難しいものとなっている。
【０００７】
本発明は、かかる点に着目してなされたものであり、その目的は、湯切れを防止しながら、貯湯タンク内に貯湯されている湯をできるだけ多く給湯させて、装置の効率を向上させることが可能となる貯湯式の給湯装置を提供する点にある。
【０００８】
【課題を解決するための手段】
この目的を達成するために、請求項１に記載の発明によれば、上部に給湯路が接続されかつ下部に給水路が接続されている貯湯タンクと、その貯湯タンクの底部から取り出した湯水を加熱手段にて加熱したのち、その湯水を前記貯湯タンクの上部に供給する形態で湯水を循環させる湯水循環手段と、前記加熱手段の作動を制御する運転制御手段とが設けられ、
前記運転制御手段が、加熱条件が満たされると、前記湯水循環手段にて循環される湯水を前記加熱手段にて貯湯設定温度の湯に加熱して、温度成層を形成する状態で前記貯湯タンク内に貯湯し、その前記貯湯タンク内に貯湯される湯を前記給湯路を通して給湯するように構成されている貯湯式の給湯装置において、
前記運転制御手段が、前記貯湯タンク内の湯を給湯しているときには、前記貯湯タンク内の貯湯量が最低確保量よりも多量の最低検出貯湯量になる最低検出タイミングから前記貯湯タンクの湯が給湯される貯湯タンク給湯量に基づいて、前記最低検出貯湯量以下における前記貯湯タンク内の現貯湯量を管理し、その現貯湯量が最低確保量未満になると、前記加熱条件が満たされたと判別する判別処理を実行するように構成されている。
【０００９】
すなわち、運転制御手段が、貯湯タンク内の湯を給湯しているときに、貯湯タンク内の貯湯量が最低検出貯湯量よりも少量の範囲における現貯湯量を管理して、その現貯湯量が最低確保量未満になると、加熱条件が満たされたと判別して、貯湯タンク内への貯湯を開始させることが可能となるので、貯湯タンク内の貯湯量が湯切れが防止できる最低確保量になるギリギリまで、貯湯タンク内への貯湯を開始させずに貯湯タンク内の湯を給湯させ、貯湯タンク内の貯湯量が最低確保量になってはじめて、貯湯タンク内への貯湯を開始させることが可能となる。
したがって、湯切れを防止しながら、貯湯タンク内に貯湯されている湯をできるだけ多く給湯させて、装置の効率を向上させることが可能となる貯湯式の給湯装置を提供できるに到った。
【００１０】
請求項２に記載の発明によれば、前記貯湯タンク内の貯湯量が前記最低検出貯湯量になる前記最低検出タイミングを検出するための最低検出貯湯量検出手段が設けられ、
前記運転制御手段が、前記貯湯タンク内の現貯湯量を管理するときに、前記最低検出貯湯量検出手段による検出情報により前記最低検出タイミングを検出する際の検出遅れ時間に基づいて、前記現貯湯量を少量側に補正した状態で管理するように構成されている。
【００１１】
すなわち、実際に最低検出タイミングになった時点と、最低検出貯湯量検出手段にて最低検出タイミングを検出した時点との間には、最低検出貯湯量検出手段にて最低検出タイミングを検出する際の検出遅れ時間が生じることになり、最低検出貯湯量検出手段にて最低検出タイミングを検出した時点では、実際に最低検出タイミングになった時点よりも、貯湯タンク内の貯湯量が検出遅れ時間だけ減少していることになるので、最低検出貯湯量検出手段にて最低検出タイミングを検出する際の検出遅れ時間を考慮せず、貯湯タンク内の現貯湯量を管理すると、貯湯タンク内の現貯湯量を的確に管理することができない虞がある。
しかしながら、運転制御手段が、貯湯タンク内の現貯湯量を管理するときに、最低検出貯湯量検出手段による検出情報により最低検出タイミングを検出する際の検出遅れ時間に応じて、現貯湯量を少量側に補正した状態で管理することが可能となるので、貯湯タンク内の現貯湯量を的確に管理することが可能となる。
【００１２】
請求項３に記載の発明によれば、前記運転制御手段が、前記判別処理において、前記加熱手段を作動させてから前記貯湯設定温度の湯が得られるまでの立ち上がり時間に基づいて、前記最低確保量よりも多量の判別用貯湯量を設定し、前記現貯湯量が前記判別用貯湯量未満になると、前記加熱条件が満たされたと判別するように構成されている。
【００１３】
すなわち、加熱手段を作動させて貯湯タンク内への貯湯を開始してから、実際に貯湯タンク内に貯湯設定温度の湯が貯湯されるまでには、加熱手段を作動させてから貯湯設定温度の湯が得られるまでの立ち上がり時間だけ遅れることになるので、貯湯タンク内への貯湯を開始してから、所望の温度の湯水が給湯されるまでにも、同様の立ち上がり時間だけ遅れることになり、貯湯タンク内の現貯湯量が最低確保量になったときに貯湯タンク内への貯湯を開始させると、湯切れが生じる虞がある。
しかしながら、運転制御手段が、加熱手段を作動させてから貯湯設定温度の湯が得られるまでの立ち上がり時間に応じて、湯切れを防止可能な判別用貯湯量を設定し、貯湯タンク内の現貯湯量が判別用貯湯量になったときに加熱条件が満たされたと判別して、貯湯タンク内への貯湯を開始させることが可能となるので、湯切れを的確に防止することが可能となる。
【００１４】
請求項４に記載の発明によれば、前記貯湯タンクの湯の給湯量を検出する給湯量検出手段が設けられ、前記運転制御手段が、前記貯湯タンク内の現貯湯量を管理するときに、給湯を開始してから前記最低検出タイミングまでの前記給湯量検出手段による検出給湯量の積算給湯量に基づいて、前記貯湯タンク給湯量を求めるように構成されている。
【００１５】
すなわち、運転制御手段が、貯湯タンク内の現貯湯量を管理するときに、給湯を開始してから最低検出タイミングまでの積算給湯量から単位時間当たりの平均給湯量を求めて、その平均給湯量を貯湯タンク給湯量として求めることが可能となるので、あるタイミングにおける貯湯タンクの湯の瞬間給湯量から貯湯タンク給湯量を求めるものと比べて、多少給湯量が変動しても、求められる貯湯タンク給湯量に大きな変動がなく、貯湯タンクの湯の給湯量を正確に求めることが可能となる。
【００１６】
請求項５に記載の発明によれば、前記貯湯タンクの湯が給湯される給湯量を検出する給湯量検出手段が設けられ、前記運転制御手段が、前記貯湯タンク内の現貯湯量を管理するときに、前記給湯量検出手段による検出給湯量の瞬間給湯量に基づいて、前記貯湯タンク給湯量を求めるように構成されている。
【００１７】
すなわち、運転制御手段が、貯湯タンク内の現貯湯量を管理するときに、給湯量検出手段による検出給湯量から瞬間給湯量を検出し、その瞬間給湯量を貯湯タンク給湯量として求めることが可能となるので、ある設定時間内の給湯量検出手段手段による検出給湯量の積算給湯量から貯湯タンク給湯量を求めるものと比べて、積算給湯量を求めるためのメモリーなどを備えることなく、貯湯タンク給湯量を求めることが可能となって、構成の簡素化を図りながら、貯湯タンク給湯量を求めることが可能となる。
【００１８】
【発明の実施の形態】
本発明にかかる貯湯式の給湯装置をエンジンヒートポンプ式冷暖房給湯システムに適応した例を図面に基づいて説明する。
このエンジンヒートポンプ式冷暖房給湯システムは、図１および２に示すように、貯湯タンク１内に温度成層を形成しながら貯湯したり、貯湯タンク１内に貯湯された湯水を給湯する貯湯ユニットＡと、空調対象空間の空調運転と貯湯タンク１に貯湯するための加熱運転を実行可能なエンジンヒートポンプ式冷暖房装置Ｂとから構成されている。
【００１９】
前記貯湯ユニットＡは、この貯湯ユニットＡの運転を制御する貯湯ユニット制御部Ｃ、貯湯タンク１、貯湯タンク１内の湯水を循環するための循環路３、循環路３を通流する湯水を加熱する加熱部４などから構成され、循環ポンプＰ１を作動させて貯湯タンク１内の湯水を循環路３にて循環しながら、加熱部４にて加熱するようにしている。
【００２０】
前記貯湯タンク１内には、その貯湯量が最低確保量よりも多量の最低検出貯湯量以上であるかを、その湯温を検出することにより検出する最低検出貯湯量検出手段としての最上部サーミスタＳ１、その貯湯量が満以上であるかを、その湯温を検出することにより検出する底部サーミスタＳ２が設けられている。
前記貯湯タンク１には、その底部から貯湯タンク１に水道水圧を用いて給水する給水路５が接続され、その上部から風呂場や台所などに給湯するための給湯路６が接続され、風呂場や台所などで使用された量だけの水を給水路５から貯湯タンク１に給水するように構成されている。
【００２１】
前記給湯路６には、給水路５から分岐された混合用給水路７が接続され、その接続箇所に給湯路６からの湯水と混合用給水路７からの水との混合比を調整自在なミキシングバルブ８が設けられている。
前記給水路５と混合用給水路７との分岐箇所には、給水温度を検出する給水サーミスタ９が設けられている。
【００２２】
また、給湯路６におけるミキシングバルブ８よりも上流側には、貯湯タンク１の上部から給湯路６に給湯された湯水の温度を検出する貯湯出口サーミスタ１０が設けられ、給湯路６におけるミキシングバルブ８よりも下流側には、給湯路６の湯水の流量を検出する給湯流量センサ１１、ミキシングバルブ８にて混合された湯水の温度を検出するミキシングサーミスタ１２が設けられている。
【００２３】
前記ミキシングサーミスタ１２よりも下流側の給湯路６が、台所や洗面所などの図外の給湯栓に給湯する一般給湯路と、図外の浴槽に湯水を供給するための湯張り路とに分岐されている。
そして、一般給湯路に給湯するときには、給湯設定温度、貯湯出口サーミスタ１０および給水サーミスタ９の検出情報などに基づいて、給湯する湯水の温度が給湯設定温度になるようにミキシングバルブ８の開度を調整して、給湯設定温度の湯水を給湯するように構成されている。
また、浴槽に湯張りするときにも、ミキシングバルブ８の開度を調整するなどして、湯張り設定温度の湯水を浴槽に供給し、湯張り設定量の湯水を供給すると湯張りを終了するように構成されている。
給湯操作手段Ｇが、貯湯出口サーミスタ１０、給水サーミスタ９、ミキシングバルブ８、および、ミキシングサーミスタ１２などにより構成されている。
【００２４】
前記循環路３と貯湯タンク１とが、循環路３を通流する湯水を貯湯タンク１内に戻す、または、貯湯タンク１内の湯水を循環路３に取り出すために、貯湯タンク１の上部と底部の合計３箇所で連通接続されている。
具体的に説明すると、貯湯タンク１の上部には、循環路３の湯水を貯湯タンク１内に供給するための貯湯路１３が連通接続され、その貯湯路１３には、貯湯開閉弁４７が設けられている。
また、貯湯タンク１の底部には、循環路３の両端部が各別に接続され、貯湯タンク１内の湯水は、循環路３の一端部から取り出されて、他端部に向けて流動するように構成されている。
【００２５】
そして、循環路３には、湯水の循環方向に順に、循環路３の湯水の循環量を検出する循環流量センサ１５、循環ポンプＰ１、循環路３の湯水の循環量を調整する循環流量調整バルブ１６、加熱部４、加熱部４にて加熱された湯水の温度を検出する加熱温サーミスタ１７、湯水の通流を断続する開閉弁１８が設けられている。
湯水循環手段Ｅが、循環路３、循環ポンプＰ１、循環流量センサ１５、循環流量調整バルブ１６、加熱温サーミスタ１７、貯湯開閉弁４７、および、開閉弁１８などから構成されている。
【００２６】
前記加熱部４は、エンジンヒートポンプ式冷暖房装置Ｂによる冷媒を供給して湯水を加熱するヒートポンプ式加熱部１９と、バーナ２０の燃焼により湯水を加熱する排熱非利用式加熱手段としての補助加熱部２１とから構成されている。
そして、循環路３の湯水の循環方向において上流側から、ヒートポンプ式加熱部１９、補助加熱部２１の順に設けられている。
【００２７】
前記補助加熱部２１は、ガス燃焼式のバーナ２０およびこのバーナ２０に燃焼用空気を供給するファン２２などが設けられ、バーナ２０の燃焼により循環路３を通流する湯水を加熱するように構成されている。
前記バーナ２０に燃料ガスを供給する燃料供給路２３には、上流側から順にガスセフティ弁２４、ガス比例弁２５、ガスメイン弁２６が設けられ、また、補助加熱部２１に通流する湯水の流量を検出する補助加熱用水量センサ２７が設けられている。
【００２８】
そして、補助加熱部２１は、補助加熱用水量センサ２７にて設定量以上の水量が検出されると、バーナ２０の燃焼を開始し、補助加熱用入り温度サーミスタ２８および補助加熱用水量センサ２７の検出情報に基づいて、ファン２２の回転速度およびガス比例弁２５の開度を調整して、補助加熱部２１にて加熱した湯水の温度を調整し、湯水に対する供給熱量を調整可能に構成されている。
【００２９】
前記エンジンヒートポンプ式冷暖房装置Ｂは、複数の室内機３１、室外機３２、室内機３１および室外機３２の運転を制御するヒートポンプ運転制御部Ｄとから構成され、複数の空調対象空間（例えば、各部屋）を暖房または冷房などの空調を行うように構成されている。
また、室内機３１と室外機３２と貯湯ユニットＡにおけるヒートポンプ式加熱部１９とは、冷媒配管２９で接続され、エンジンヒートポンプ式冷暖房装置Ｂにおける冷媒をヒートポンプ式加熱部１９に供給できるように構成されている。
【００３０】
前記複数の室内機３１の夫々には、電子膨張弁３３、室内熱交換器３４、その室内熱交換器３４で温調した空気を空調対象空間へ送出する室内空調用送風機３５が備えられ、室内熱交換器３４にて凝縮された冷媒の温度を検出する冷媒サーミスタ４８の検出情報に基づいて、電子膨張弁３３の開度を調整するようにしている。
【００３１】
前記室外機３２には、ガスエンジン３６、圧縮機３７、アキュムレータ３８、四方弁３９、室外熱交換器４０、その室外熱交換器４０に対し外気を通風する室外空調用送風機４１が備えられ、ガスエンジン３６の排熱を外部に放熱するためのラジエーター４２、および、ラジエーター用送風機４３も備えられている。
また、ガスエンジン３６の冷却用の冷却水をラジエーター４２との間で循環させる冷却水路４４が設けられ、この冷却水路４４にラジエーター用ポンプＰ３が設けられている。
【００３２】
ヒートポンプ運転手段Ｋが、電子膨張弁３３、室内空調用送風機３５、ガスエンジン３６、圧縮機３７、四方弁３９、室外空調用送風機４１などにより構成されている。
また、冷却水循環手段Ｌが、ラジエーター用ポンプＰ３、ラジエーター用送風機４３、および、エジエーター４２などにより構成されている。
【００３３】
前記エンジンヒートポンプ式冷暖房装置Ｂは、空調リモコンＲ１の指令に基づいてヒートポンプ運転制御部Ｄにて運転が制御され、ガスエンジン３６により圧縮機３７を作動させて、四方弁３９の切換え操作により冷房運転と暖房運転とを選択切換え自在に構成され、室内機３１の電子膨張弁３３の開閉制御により、空調要求のある部屋の空調を行うように構成されている。
また、ヒートポンプ式加熱部１９にて循環路３の湯水を加熱するときには、暖房運転させるとともに、電子膨張弁３３を制御して、ヒートポンプ式加熱部１９に冷媒を供給するように構成されている。
【００３４】
前記貯湯ユニット制御部Ｃとヒートポンプ運転制御部Ｄとは、エンジンヒートポンプ式冷暖房装置Ｂが空調運転中であることや、エンジンヒートポンプ式冷暖房装置Ｂへの駆動要求などの制御信号を送受信可能に構成されている。
そして、運転制御手段としての貯湯ユニット制御部Ｃとヒートポンプ運転制御部Ｄは、空調対象空間としての各部屋に設置されている空調リモコンＲ１や貯湯リモコンＲ２の指令に基づいて、空調対象空間への冷房運転や暖房運転などの空調運転、貯湯タンク１内に湯水を貯湯する貯湯運転、図外の給湯栓などに所望の湯水を供給する給湯運転などの夫々の運転を実行するように構成されている。
【００３５】
以下、各運転について説明を加える。
前記冷房運転は、図２の実線矢印に示すように、圧縮機３７、四方弁３９、室外熱交換器４１、室内熱交換器３４、四方弁３９、アキュムレータ３８の順に冷媒を循環させて、冷房対象となる部屋を冷房するように構成されている。
前記暖房運転は、図２の点線矢印に示すように、圧縮機３７、四方弁３９、室内熱交換器３４、室外熱交換器４１、四方弁３９、アキュムレータ３８の順に冷媒を循環させて、暖房対象となる部屋を暖房するように構成されている。
また、ヒートポンプ運転制御部Ｄは、冷房運転および暖房運転において、ラジエーター用ポンプＰ３を作動させ、ラジエーター用送風機４３を作動させラジエーター４２にて放熱させるようにしている。
【００３６】
前記貯湯運転は、貯湯リモコンＲ２から貯湯要求があると、貯湯開閉弁４７を開弁させ、循環ポンプＰ１を作動させて、貯湯タンク１の底部から水を循環路３に取出し、加熱部４にて加熱したのち、貯湯路１３を通して貯湯タンク１の上部に供給してするように構成されている。
前記貯湯運転における加熱部４の動作について説明を加えると、エンジンヒートポンプ式冷暖房装置Ｂが空調運転中でなければ、電子膨張弁３３を開状態に制御してエンジンヒートポンプ式冷暖房装置Ｂを暖房運転させて、ヒートポンプ式加熱部１９に冷媒を供給させて、ヒートポンプ式加熱部１９にて循環路３の湯水を加熱させ、加熱温サーミスタ１７による検出温度が目標貯湯温度（例えば、６０℃）になるようにヒートポンプ式加熱部１９の加熱量を調整するように構成されている。
そして、ヒートポンプ式加熱部１９による加熱だけでは、加熱温サーミスタ１７による検出温度が目標貯湯温度（例えば、６０℃）になるように、循環路３の湯水を加熱できない場合や、ヒートポンプ式加熱部１９での加熱が行えない場合などには、加熱温サーミスタ１７による検出温度が目標貯湯温度（例えば、６０℃）になるように、ファン２２の回転速度やガス比例弁２５の開度を調整して補助加熱部４による加熱量を調整するように構成されている。
【００３７】
このようにして、加熱部４にて循環路３の湯水を貯湯設定温度に加熱して、その湯水を貯湯タンク１の上部から供給することによって、温度成層を形成する状態で、貯湯タンク１内に貯湯する貯湯処理を実行するように構成されている。
【００３８】
前記給湯運転は、図外の給湯栓などが開操作されたり、図外の浴槽に湯張りするための湯張り指令が指令されると、貯湯リモコンＲ２などにて設定された給湯設定温度、貯湯出口サーミスタ１０および給水サーミスタ９の検出情報に基づいて、給湯する湯水の温度が給湯設定温度になるようにミキシングバルブ８の開度を調整するとともに、ミキシングサーミスタ１２の検出情報に基づいて、その検出温度と給湯設定温度との偏差に基づいてミキシングバルブ８の開度を微調整することにより、給湯設定温度の湯水を給湯するように構成されている。
【００３９】
そして、貯湯タンク１内に貯湯されている湯を給湯しているときに、加熱条件が満たされたかを判別する判別処理を実行して、加熱条件が満たされたと判別すると、上述の貯湯運転を実行して、貯湯タンク１内に貯湯し、ミキシングバルブ８の開度を調整するなどして、その貯湯される湯を給湯するように構成されている。
【００４０】
前記判別処理は、貯湯タンク１内の貯湯量が最低検出貯湯量になる最低検出タイミングから貯湯タンク１の湯が給湯される貯湯タンク給湯量に基づいて、貯湯タンク１内の現貯湯量を管理して、その現貯湯量が最低確保量未満になると、加熱条件が満たされたと判別するように構成されている。
具体的に説明すると、貯湯タンク１内に貯湯されている湯を給湯しているときに、給水サーミスタ９、貯湯出口サーミスタ１０、ミキシングサーミスタ１２、および、給湯流量センサ１１の検出情報から貯湯タンク１の湯の給湯量を求めて、給湯開始から、最上部サーミスタＳ１にて貯湯設定温度未満の温度が検出されて、貯湯タンク１内の貯湯量が最低検出貯湯量になる最低検出タイミングまでの積算給湯量を求めるようにしている。
そして、その積算給湯量から単位時間当たりの給湯量を求めるなどして、貯湯タンク給湯量を求めて、その貯湯タンク給湯量と最低検出貯湯量から貯湯タンク１内の現貯湯量を求め、その現貯湯量が最低確保量未満になると、加熱条件が満たされたと判別するようにしている。
【００４１】
ちなみに、給水サーミスタ９の検出温度、貯湯出口サーミスタ１０の検出温度、および、ミキシングサーミスタ１２の検出温度から貯湯タンク１からの湯と混合用給水路７からの水の混合比が求められ、その混合比と給湯流量センサ１１の検出流量から貯湯タンク１の湯の給湯量が求められることになる。
そして、給水サーミスタ９、貯湯出口サーミスタ１０、ミキシングサーミスタ１２、給湯流量センサ１１、および、貯湯ユニット制御部Ｃなどにより、給湯量検出手段が構成されている。
【００４２】
説明を加えると、最上部サーミスタＳ１では、貯湯タンク１の貯湯量が最低検出貯湯量になることは検出できても、最低検出貯湯量よりも少量の範囲において、貯湯タンク１の貯湯量を検出することができないので、貯湯タンク給湯量を求めて、その貯湯タンク給湯量と最低検出貯湯量とから、最低検出貯湯量よりも少量の範囲における貯湯タンク１の現貯湯量を求めるように構成されている。
そして、最低検出貯湯量よりも少量の貯湯タンク１の現貯湯量を求めることで、その現貯湯量が、貯湯タンク１に貯湯しなければ湯切れとなる虞のある最低確保量未満になることを検出して、貯湯タンク１内の貯湯量が最低確保量になる直前まで、加熱部４などを作動させることなく、貯湯タンク１内の湯を給湯するように構成されている。
【００４３】
前記判別処理において、貯湯タンク１内の現貯湯量を管理するときに、最上部サーミスタＳ１にて最低検出タイミングを検出する際の検出遅れ時間に基づいて、現貯湯量を少量側に補正した状態で管理するように構成されている。
説明を加えると、実際に、最低検出タイミングになった時点と、最上部サーミスタＳ１にて最低検出タイミングを検出した時点との間には、その最低検出タイミングを検出するための検出遅れ時間が生じることになる。
したがって、最上部サーミスタＳ１にて最低検出タイミングを検出した時点では、実際に最低検出タイミングになった時点よりも、貯湯タンクの貯湯量が検出遅れ時間の分だけ減少していることになるので、その減少分だけ現貯湯量を少量側に補正した状態で、貯湯タンク１の現貯湯量を求めるように構成されている。
【００４４】
また、前記判別処理において、加熱部４を作動させて貯湯運転を開始してから貯湯設定温度の湯が貯湯されるまでの立ち上がり時間に基づいて、最低確保量よりも多量の判別用貯湯量を設定し、貯湯タンク１の現貯湯量が判別用貯湯量未満になると、加熱条件が満たされたと判別するように構成されている。
説明を加えると、実際に加熱部４を作動させて貯湯運転を開始してから、貯湯設定温度の湯が貯湯タンク１に貯湯されるまでには、立ち上がり時間が必要となるので、その立ち上がり時間が長ければ長いほど、最低確保量よりも多量となる判別用貯湯量を設定し、加熱条件が満たされて、貯湯運転を開始させても、その貯湯運転の開始当初から所望の温度の湯水を給湯できるように構成されている。
【００４５】
前記給湯運転における判別処理について、図４のフローチャートに基づいて説明する。
まず、図外の給湯栓が開操作されるなどして給湯要求があると、ミキシングバルブ８の開度を調整するなどして、貯湯タンク１に貯湯されている湯を給湯しながら、給湯開始からの積算給湯量を演算する（ステップ１）。
その後、最上部サーミスタＳ１にて貯湯設定温度未満の温度を検出して、貯湯タンク１内の貯湯量が最低検出貯湯量になると、演算された積算給湯量と最低検出貯湯量とから、貯湯タンク１の現貯湯量を演算する（ステップ２，３）。
そして、演算される現貯湯量が判別用貯湯量になると、加熱条件が満たされたと判別して、貯湯運転を開始して、貯湯タンク１内に貯湯し、その貯湯された湯を給湯するようにしている（ステップ４，５）。
【００４６】
〔別実施形態〕
（１）上記実施形態では、判別処理において、給湯開始から最低検出タイミングまでの積算給湯量に基づいて、貯湯タンク給湯量を求めるように構成されているが、最低検出タイミングにおける貯湯タンク１の湯の給湯量など瞬間給湯量に基づいて、貯湯タンク給湯量を求めるように構成して実施することも可能である。
【００４７】
また、最低検出タイミングから貯湯タンク１の湯の給湯量を積算することによって、貯湯タンク給湯量を求めることも可能であり、貯湯タンク給湯量の求め方については適宜変更が可能である。
【００４８】
（２）上記実施形態では、貯湯運転を開始してから貯湯設定温度の湯が貯湯されるまでの立ち上がり時間に基づいて、最低確保量よりも多量の判別用貯湯量を設定し、現貯湯量が判別用貯湯量未満になると、加熱条件が満たされたと判別するように構成した例を示したが、判別用貯湯量を設定することなく、現貯湯量が最低確保量未満になると、加熱条件が満たされたと判別するように構成して実施することも可能である。
【００４９】
（３）上記実施形態では、貯湯タンク１内の現貯湯量を管理するときに、最上部サーミスタＳ１による検出情報により最低検出タイミングを検出する際の検出遅れ時間に基づいて、現貯湯量を少量側に補正した状態で管理するように構成されているが、このような補正をせずに現貯湯量を管理するようにして実施することも可能である。
【００５０】
（４）上記実施形態では、加熱部４として、ヒートポンプ式加熱部１９と補助加熱部２１を備える構成を示したが、補助加熱部２１のみを備えるものや、ヒートポンプ式加熱部１９と補助加熱部２１に加えて、エンジン３６の排熱を利用して加熱する排熱利用式加熱部を備えるなど、各種の加熱手段が適応可能である。
【００５１】
（５）上記実施形態では、本発明にかかる貯湯式の給湯装置をエンジンヒートポンプ式冷暖房給湯システムに適応した例を示したが、ヒートポンプを備えていないものなど、各種の貯湯式の給湯装置が適応可能である。
【図面の簡単な説明】
【図１】貯湯ユニットの概略構成図
【図２】エンジンヒートポンプ式冷暖房装置の概略構成図
【図３】エンジンヒートポンプ式冷暖房給湯システムの制御ブロック図
【図４】判別処理の制御動作を示すフローチャート
【符号の説明】
１              貯湯タンク
４              加熱手段
５              給水路
６              給湯路
９〜１２，Ｃ    給湯量検出手段
Ｃ，Ｄ          運転制御手段
Ｅ              湯水循環手段
Ｓ１            最低検出貯湯量検出手段
【図１】
0004620908.tif 000002
【図２】
0004620908.tif 000003
【図３】
0004620908.tif 000004
【図４】
0004620908.tif 000005